(57)【特許請求の範囲】
【請求項１】
略円錐状の内容物を包装するための包装用シートであって、
略正方形状であり、包装時に前記内容物を対角線に沿って設置し、前記内容物の頂部が向く側の隣り合う２つの頂部側辺部を突き合わせる状態で前記内容物の周面に沿わせて前記内容物に巻き付ける設置部と、
前記設置部における前記頂部側辺部以外の２辺を結合部として前記設置部と結合した略正方形状の蓋用シートと、
前記設置部における前記頂部側辺部のいずれか一方から延び、包装時に前記設置部を前記内容物の周面に沿わせて巻き付けたときにさらに前記設置部の外側面に巻き付ける巻き付け部と、を備え、
前記蓋用シートと前記設置部とで、前記内容物を収容することで前記蓋用シートで前記内容物が蓋されるポケット部を形成する構成にしてある包装用シート。
【請求項２】
前記設置部とする内側半面と、折り返し辺において折り返して前記内側半面に接着し前記蓋用シートとする外側半面と、を備える折り返しシートを有し、
前記外側半面を前記折り返し辺において折り返し、前記内側半面の周縁のうち、前記折り返し辺を前記結合部のうちの１辺とするときの残りの１辺において前記外側半面の周縁を前記内側半面に接合することにより、前記内側半面と前記外側半面とで前記ポケット部を形成してある請求項１に記載の包装用シート。
【請求項３】
前記設置部における前記結合部とする２辺に前記設置部と略同型の前記蓋用シートの周縁を接着することにより前記ポケット部を形成してある請求項１に記載の包装用シート。
【請求項４】
２つの前記頂部側辺部のうち前記巻き付け部が延びていない前記頂部側辺部に、折り返して内容物を覆うシート片を設けてある請求項１〜３のいずれか１項に記載の包装用シート。
【発明の詳細な説明】
【技術分野】
【０００１】
本発明は、略円錐状の内容物を包装するための包装用シートに関する。
【背景技術】
【０００２】
一般に花手巻きと呼ばれる、略円錐状に形成した手巻き寿司を包装するのに、例えば、特許文献１に示されるように、互いに周縁部で固定された外フィルムと内フィルムとの二枚のフィルムから構成される包装用シートであって、外フィルムと内フィルムとの間に海苔を収容する矩形状の包装用シートが用いられている。
【０００３】
このような包装用シートで手巻き寿司を略円錐状に包装した場合（ここで略円錐状に包装するとは略円錐状の内容物の周面に沿って包装用シートを巻き付けることをいう。略円錐状に巻くというときも同様である。）、円錐の底面に相当する部分で飯が露出することとなる。このため、特許文献１では、露出する部分を包装後に覆うためのカバー部材を包装用シートに設け、略円錐状に成型した寿司を包装したあと、円錐の底面に対応する露出した部分を外側からカバー部材で覆うことが提案されている。
【０００４】
また、特許文献２，３には、包装用シートに略円錐状に成型した寿司を設置した後、予めカバー部材で寿司における円錐の底面に相当する部分を覆ってから寿司を包装することが提案されている。
【先行技術文献】
【特許文献】
【０００５】
【特許文献１】国際公開第２０１１／０２４５２６号
【特許文献２】実開昭６１−１８０９６８号公報
【特許文献３】実公平３−２４０６７号公報
【発明の概要】
【発明が解決しようとする課題】
【０００６】
包装後に露出する部分を覆うことの目的は、包装用シート内を密閉状態にして外部からの埃や虫などの混入を防ぐことや飯の乾燥を防ぐことにあるところ、特許文献１のように包装後にカバー部材で外側から露出する部分（円錐の底面に対応する部分）を覆って包装用シート内を密閉状態にする場合、カバー部材と包装用シートとの間を塞ぐのにシール等の固定手段を用いる必要があるが、固定手段を用いてカバー部材と包装用シートとの間に隙間が生じないようにするには手間と時間を要するものであった。
【０００７】
そして、たとえ手間暇かけてカバー部材と包装用シートとの間を塞いだとしても、カバー部材で露出する部分を包装用シートの外側から覆うという手段では、カバー部材と飯との間に余分な空間が生じるためにカバー部材が変形等を起こし、これに伴ってどこかしらに隙間が生じる虞があるとともにその見栄えも悪くなる問題があった。
【０００８】
また、特許文献２，３のように、予めカバー部材で外側から露出する部分（円錐の底面に対応する部分）を覆ってから包装する方法では、特許文献２の方法は目印等を用いて飯を覆うとともに包装を行っていることから明らかなように、隙間なく飯を覆い且つ包装後の見栄えもよくするためには正確な包装作業が要求され、また、隙間なく飯を覆った後はその状態を保ちながら包装作業を行わなければならず、特許文献１と同様に、カバー部材で飯を覆うのに手間と時間を要するものであった。
【０００９】
また、特許文献３の方法は円錐状に巻いた包装用シートの円錐の底辺や内周面の全周に対しカバー部材が隙間なく接着されているわけではないので、カバー部材と包装用シートとの間にある程度の隙間が生じることは避けられないものであった。
【００１０】
つまり、上記特許文献１〜３の包装用シートでは、包装用シート内を密閉しようとするのに手間と時間がかかり容易ではなく、また、カバー部材と包装用シートとの間に隙間が生じ易く、包装用シート内の密閉度が不十分で埃や虫などの混入や飯の乾燥を確実に防ぐには不十分であるという問題があった。
【００１１】
この実情に鑑み、本発明の主たる課題は、埃や虫などの混入や飯の乾燥を容易に且つ確実に防ぐため、包装用シート内の密閉度を高めた包装用シートを提供することにある。
【課題を解決するための手段】
【００１２】
本発明に係る包装用シートの特徴は、
略円錐状の内容物を包装するための包装用シートであって、
略正方形状であり、包装時に前記内容物を対角線に沿って設置し、前記内容物の頂部が向く側の隣り合う２つの頂部側辺部を突き合わせる状態で前記内容物の周面に沿わせて前記内容物に巻き付ける設置部と、
前記設置部における前記頂部側辺部以外の２辺を結合部として前記設置部と結合した略正方形状の蓋用シートと、
前記設置部における前記頂部側辺部のいずれか一方から延び、包装時に前記設置部を前記内容物の周面に沿わせて巻き付けたときにさらに前記設置部の外側面に巻き付ける巻き付け部と、を備え、
前記蓋用シートと前記設置部とで、前記内容物を収容することで前記蓋用シートで前記内容物が蓋されるポケット部を形成する構成にしてある点にある。
【００１３】
つまり、包装用シートに上記のようなポケット部を設けることにより、このポケット部に内容物を収容した状態で包装用シートを略円錐状に巻いて内容物を包装すれば、包装後に従来露出されることとなっていた部分を蓋用シートによって（つまり、ポケット部の底部によって）蓋することができる。そして、ポケット部のうち内容物を収容するための開口部については、包装用シートを略円錐状に巻く際に包装用シートの内側面により塞がれることとなる。これにより、内容物を包装用シートによって確実に密閉状態にすることができる。
【００１４】
即ち、ポケット部に内容物を収容した状態で包装用シートを略円錐状に巻いて内容物を包装することにより、単にポケット部に内容物を収容するという動作のみで、上記従来の包装用シートのように包装用シート内を密閉しようとするのに手間と時間を要することなく、容易且つ確実に包装用シート内を密閉状態とすることができる。
【００１５】
また、包装用シートを略円錐状に巻いて内容物を包装したときに、略円錐状の包装用シートの底辺となる設置部の周縁（包装時に前記設置部の対角線に沿って前記設置部に前記内容物を設置するときに、前記内容物の底面が向く側の隣り合う２辺）を結合部として蓋用シートが設置部と結合しているため、円錐状に巻いた包装用シートの円錐の底辺（内容物を包装したときに略円錐状の内容物における底面周縁に沿う辺を意味する）の全周に対し蓋用シートが隙間なく結合されている状態となる。また、ポケット部に内容物を収容するに伴って、蓋用シートと内容物との間に余分な空間を生じさせず、包装後に蓋用シートが内容物に隙間なく接触した状態を現出することができる。これにより、カバー部材と包装用シートとの間に隙間が生じやすかった上記従来の包装用シートに比べ、包装用シート内の密閉度を極めて高い状態とすることができる。
【００１６】
さらに、包装後に蓋用シートが内容物に隙間なく接触した状態となるため、包装後の状態においてスッキリした印象を与え、また、蓋用シートが内容物に隙間なく接触しているので内容物の表面をきれいに目視できる状態にでき、意匠的にも優れた包装用シートとすることができる。
【００１７】
本発明に係る包装用シートにおいて、前記設置部とする内側半面と、折り返し辺において折り返して前記内側半面に接着し前記蓋用シートとする外側半面と、を備える折り返しシートを有し、前記外側半面を前記折り返し辺において折り返し、前記内側半面の周縁のうち、前記折り返し辺を前記結合部の１辺とするときの残りの１辺において前記外側半面の周縁を前記内側半面に接合することにより、前記内側半面と前記外側半面とで前記ポケット部を形成してあると好適である。
【００１８】
この構成によれば、本発明に係るポケット部を一体形成した包装用シートを一から開発・製造することなく、従来品である包装用シートを利用して、従来品に対して上記構成における折り返し用シートを用いることにより、容易に本発明の特徴であるポケット部を形成することができる。
【００１９】
また、上記構成に代えて、前記設置部における前記結合部とする２辺に前記設置部と略同型の前記蓋用シートの周縁を接着することにより前記ポケット部を形成しても好適である。
【００２０】
この構成によれば、本発明に係るポケット部を一体形成した包装用シートを一から開発・製造することなく、従来品である包装用シートを利用して、従来品における設置部に対して追加的に蓋用シートを接着して、容易に本発明の特徴であるポケット部を形成することができる。
【００２１】
また、本発明に係る包装用シートにおいて、２つの前記頂部側辺部のうち前記巻き付け部が延びていない前記頂部側辺部に、折り返して内容物を覆うシート片を設けてもよい。
【００２２】
包装用シートを略円錐状に巻いて内容物を包装する場合に、略円錐状の包装用シートの頂部において隙間が生じる虞があり、これにより、包装用シート内の密閉度が不十分となる虞があるが、上記構成によれば、シート片を折り返してシート片により内容物を覆った状態で包装用シートを略円錐状に巻いて内容物を包装することにより、シート片により内容物における円錐の頂部に対応する部分が蓋されるから、より確実に内容物を包装用シートによって密閉状態にすることができる。
【図面の簡単な説明】
【００２３】
【図１】海苔収容シートの説明斜視図
【図２】包装用シートの説明斜視図
【図３】包装用シートによる寿司の包装の説明図
【図４】寿司を包装した包装用シートの開封の説明図
【図５】別実施形態の包装用シートの説明斜視図
【図６】別実施形態の包装用シートの説明斜視図
【図７】別実施形態の包装用シートの説明斜視図
【発明を実施するための形態】
【００２４】
図１，２は、略円錐状の寿司やおにぎり等の飯を包装する包装用シート１の説明斜視図であり、海苔６を収容するための海苔収容シート２と寿司飯や米飯等を収容するための米飯収容シート３（折り返しシートに相当）とで構成される。
【００２５】
図１（ａ）に示すように、海苔収容シート２は、飯の包装後に外側に位置する矩形の外フィルム４と、飯の包装後に内側に位置する２枚の内フィルム（図１（ａ）中左側に位置し略正方形の第１内フィルム５ａと図中右側に位置する矩形の第２内フィルム５ｂ）とから構成される。
【００２６】
外フィルム４の２つの長辺の中央付近にはそれぞれ２つの切込み７ａ，７ｂ（図１（ａ）中左側が切込み７ａ、右側が切込み７ｂ）を形成してある。詳しくは後述するが、外フィルム４の４つの切込み７ａ，７ｂ，７ｂ，７ａで囲まれる部分（図１（ａ）中の点線の領域）をシート開封部７として、包装後にこのシート開封部７を切り取ることで包装用シート１の開封を行う。また、このシート開封部７における切込み７ｂ，７ｂ側の周縁には、外フィルムの短辺方向の全長にわたって、外フィルム４における海苔６を載置する側に、切り取り作業を案内するためのカットテープ８を熱融着により接着してある。
【００２７】
外フィルム４と第１内フィルム５ａと第２内フィルム５ｂとは海苔６を収容した状態で外周縁部の所定位置で熱融着することにより接着してある（図１（ａ）中の外周縁部の斜線部分が熱融着部分９である）。より詳しくは、外フィルム４の切込み７ａ，７ｂの間（つまりシート開封部７）を除く外周縁部については、その全周について第１内フィルム５ａ及び第２内フィルム５ｂの外周縁部と接着し、外フィルム４の切込み７ａ，７ｂの間（つまりシート開封部７）については中央付近の一点においてのみ第１内フィルム５ａの外周縁部と接着してある。
【００２８】
外フィルム４の長辺方向における第１内フィルム５ａの長さは、外フィルム４の長辺における切込み７ａ側の一端から切込み７ｂまでの長さと略同一にし、第２内フィルム５ｂの外フィルム４の長辺方向の長さは、外フィルム４の長辺における切込み７ｂ側の他端からカットテープ８を覆う程度の長さとし、図１（ｂ）に示すように、第１内フィルム５ａと第２内フィルム５ｂとの一部が重なるようにしてある。これにより、海苔６が表面に露出することなく収容されて、内容物たる寿司１４を海苔収容シート２に載置して包装しても寿司１４と海苔６とが直接触れることがない。
【００２９】
また、第１内フィルム５ａと第２内フィルム５ｂとは直接つながっていないため、図４（ｃ）に示すように、シート開封部７を切り離すことにより、海苔収容シート２は、第１内フィルム５ａを有する第１部分２ａと、第２内フィルム５ｂを有する第２部分２ｂとに分離される。
【００３０】
図２（ａ）に示すように、米飯収容シート３は長辺と短辺の比率がおよそ２：１の矩形であり、その半面（内側半面）３ａを第１内フィルム５ａに重ねて、他の半面（外側半面）３ｂが外フィルム４における長辺の外側からはみ出す状態で配置してある。
【００３１】
そして、外フィルム４の長辺方向における第１内フィルム５ａの外周縁部のうちシート開封部７に対応する部分を除く外周縁部を熱融着部分１０として、この熱融着部分１０において米飯収容シート３における内側半面３ａを海苔収容シート２に熱融着により接着してある。
【００３２】
そして、図２（ｂ）に示すように、外フィルム４からはみ出した状態の外側半面３ｂを、内側半面３ａと外側半面３ｂとが重なるように折り返し辺部１２において折り返し、第１内フィルム５ａにおける外フィルム４の短辺に対応する外周縁部とこの外周縁部に対応する内側半面３ａと外側半面３ｂとの両方の外周縁部とを熱融着部分１１として熱融着して、米飯収容シート３と外フィルム４とを接着してある。なお、この場合、折り返し辺部１２は、内側半面３ａと外側半面３ｂとが折り返し辺部１２を対称軸として線対称な形状となる位置に設定してある。
【００３３】
このようにして海苔収容シート２に米飯収容シート３を接着することにより、米飯収容シート３は、内側半面３ａ（設置部に相当）と外側半面３ｂ（蓋用シートに相当）とで、略正方形状に折りたたんだ米飯収容シート３における熱融着部分１１と折り返し辺部１２に対応する２辺（結合部に相当）を閉部１３ａとし他の２辺（頂部側辺部に相当）を開部１３ｂとするポケット部１３を形成する。
【００３４】
この場合、熱融着部分１１と折り返し辺部１２に対応する２辺は、図３（ａ）〜（ｄ）で示すようにして包装用シート１を略円錐状に巻いて寿司１４を包装したときに、略円錐状の包装用シート１の底辺となるようにしてある。なお、図示は省略するが、外側半面３ｂが外フィルム４の短辺の外側からはみ出す状態にして、図２（ｂ）における熱融着部分１１に相当する部分が折り返し辺部となるとともに、図２（ｂ）における折り返し辺部１２に相当する部分が熱融着部分となる状態でポケット部１３を形成してもよい。
【００３５】
上記のようにして包装用シート１は構成される。次に、包装用シート１を用いた略円錐状の寿司１４の包装について説明する。
【００３６】
まず、図３（ａ）に示すように、寿司１４は具材１４ａを詰めて略円錐状に成型してある。そして、この寿司１４における略円錐状の底面１４ｂがポケット部１３の閉部１３ａの側を向く状態（寿司１４における略円錐状の頂部１４ｃがポケット部１３の開部１３ｂを向く状態）で、寿司１４をポケット部１３内に収容する。
【００３７】
次に、図３（ｂ）に示すように、ポケット部１３における閉部１３ａの一端１５ａから閉部１３ａの他端１５ｂに向かって包装用シート１を折り返すようにして、寿司１４における略円錐状の周面１４ｄに沿わせながら、包装用シート１の一方側１ａを寿司１４に対し巻き付ける。続けて、図３（ｃ）に示すように、包装用シート１の他方側１ｂの一端１５ｃから包装用シート１を折り返すようにして、寿司１４における略円錐状の周面１４ｄに沿わせながら、包略正方形状に折りたたんだ米飯収容シート３の対角線１６上にカットテープ８が位置するように、装用シート１の他方側１ｂを寿司１４に対し巻き付ける。
【００３８】
最後に、図３（ｃ）における包装用シート１の残余部分１７（巻き付け部に相当）を寿司１４に対しさらに巻き付けていき、図３（ｄ）に示すように、残余部分１７の端部１７ａがカットテープ８に重ならない状態で、固定用シール１８により残余部分１７の端部を包装用シート１に接着する。この際、固定用シール１８はシート開封部７を超えて包装用シート１と接着しているが、固定用シール１８がカットテープ８に重なった状態となっているため、後述するように、包装用シート１からシート開封部７を取り去るに伴い、カットテープ８により固定用シール１８が破れることとなり、固定用シール１８がシート開封部７の除去の弊害とはならない。
【００３９】
上記のように、ポケット部１３に寿司１４を収容した状態で包装用シート１を略円錐状に巻いて寿司１４を包装すれば、図３（ｄ）のように、包装後に従来露出されることとなっていた寿司１４の底面１４ｂを米飯収容シート３の外側半面３ｂ（蓋用シートに相当）によって蓋した状態にすることができ、さらに、ポケット部１３の開部１３ｂについては、包装用シート１を略円錐状に巻く際に包装用シート１の内側面により塞がれることとなる。これにより、寿司１４を包んだ包装用シート１内が密閉状態となる。
【００４０】
即ち、ポケット部１３に寿司１４を収容した状態で包装用シート１を略円錐状に巻いて寿司１４を包装することにより、容易且つ確実に包装用シート１内を密閉状態とすることができる。
【００４１】
また、包装用シート１を円錐状に巻いたときに円錐の底辺となる熱融着部分１１と折り返し辺部１２に対応する２辺が塞がれた状態となっているため、円錐状に巻いた包装用シート１の円錐の底辺の全周に対し外側半面３ｂが隙間なく結合されている状態となり、そして、ポケット部１３に寿司１４を収容するに伴って、図３（ｄ）のように、包装後に米飯収容シート３の外側半面３ｂと寿司１４との間に余分な空間が生じることなく、外側半面３ｂが寿司１４に隙間なく接触した状態を現出することができ、これにより、外側半面３ｂと寿司１４との間の空間に起因して米飯収容シート３の外側半面３ｂが変形して隙間が生じてしまうという問題を回避することができる。
【００４２】
さらに、包装後に米飯収容シート３の外側半面３ｂが寿司１４に隙間なく接触した状態となるため、包装後の状態においてスッキリした印象を与え、また、米飯収容シート３の外側半面３ｂが寿司１４に隙間なく接触しているので寿司１４の表面がきれいに目視できる状態にでき、意匠的にも優れた包装用シートとすることができる。
【００４３】
最後に、略円錐状の寿司１４を包装した包装用シート１の開封について説明する。
【００４４】
まず、図４（ａ）に示すように、包装用シート１からシート開封部７を取り去るため、切込み７ａ，７ｂからシート開封部７を下方に引っ張る。なお、この際、カットテープ８により固定用シール１８が破れることとなり、固定用シール１８が邪魔になることなく包装用シート１からシート開封部７が取り去られる。そして、これに伴い、包装用シート１の残余部分１７が包装用シート１から剥がれ、続けて、図４（ｂ）に示すように、寿司１４に巻き付けた状態の包装用シート１を開いていく。
【００４５】
次に、図４（ｃ）に示すように、包装用シート１を開封した後、シート開封部７を取り去ることにより第１部分２ａと第２部分２ｂとに分離した海苔収容シート２の第２部分２ｂを取り去り、海苔６を露出させ、また、略正方形状に折りたたんだ米飯収容シート３における熱融着部分１１を剥がして寿司１４を露出させる。
【００４６】
そして、図４（ｄ）に示すように、露出させた海苔６を寿司１４における略円錐状の周面１４ｄに沿わせて、海苔収容シート２の第１部分２ａから海苔６を引き抜きながら海苔６を寿司１４に巻き付けて、花手巻きの手巻き寿司１９を完成させる。
【００４７】
〈別実施形態〉
以下に、本発明の別実施形態を列挙する。
【００４８】
（１）上述の実施形態では、矩形の米飯収容シート３を略正方形状に折りたたんで、内側半面３ａと外側半面３ｂとでポケット部１３を形成する構成を示したが、これに限定されず、例えば、図５（ａ）（ｂ）に示すように、略正方形の米飯収容シート２０（蓋用シートに相当）を用いて、包装用シート１を略円錐状に巻いて寿司１４を包装したときに、略円錐状の包装用シート１の底辺となる第１内フィルム５ａの第１辺部２１ａ及び第２辺部２１ｂ（結合部に相当）に米飯収容シート２０の２辺を接着することにより、第１内フィルム５ａ（設置部に相当）と米飯収容シート２０とでポケット部１３を形成するようにしてもよい。なお、図５（ｂ）中、２２は熱融着部分を示す。
【００４９】
（２）上述の実施形態のようなポケット部１３に加え、図６（ａ）に示すように、さらに、包装用シート１を略円錐状に巻いて寿司１４を包装したときに、略円錐状の包装用シート１の底辺となる第１内フィルム５ａの周縁としての第１辺部２１ａ及び第２辺部２１ｂとは異なる周縁である第３辺部２１ｃ（頂部側辺部に相当）にシート片２３を設けてもよい。この場合、図６（ｂ）に示すように、寿司１４をポケット部１３に収納した後にシート片２３を折り返して、シート片２３が寿司１４の略円錐状の頂部１４ｃを覆った状態で、包装用シート１で寿司１４を包装すれば、包装に伴って、シート片２３が寿司１４の略円錐状の頂部１４ｃを蓋する状態となるから、より確実に包装用シート内を密閉状態とすることができる。
【００５０】
（３）上述の実施形態では、海苔６を収容した海苔収容シート２とポケット部１３を形成する米飯収容シート３とから包装用シート１を構成し、海苔６と寿司１４が別個にそれぞれ接触しない状態としたものを示したが、これに限定されず、包装用シートが寿司のみを包装する、または、寿司に海苔を巻いた状態のものを包装するようにしてもよい。
【００５１】
例えば、図７（ａ）（ｂ）に示すように、包装時に内容物を設置する設置部３１と、包装用シートを略円錐状に巻いて内容物を包装したときに略円錐状の包装用シートの底辺となる設置部の第１辺部３１ａ及び第２辺部３１ｂ（結合部に相当）のうちの第１辺部３１ａから延びる折り返し片３２（蓋用シートに相当）と、略三角形状の巻き付け部３３とから構成される包装用シート３０を用いて、第１辺部３１ａにおいて折り返し片３２を設置部３１に向かって折り返し、第２辺部３１ｂにおいて設置部３１と折り返し片３２とを接着することにより、設置部３１と折り返し片３２とでポケット部３４を形成するようにすればよい。
【００５２】
この場合、海苔６をすでに巻いてある寿司１４をポケット部３４に収容して（又は、海苔は巻かずに寿司１４をそのまま収容して）、上述の実施形態と同じ要領で寿司１４の包装を行えばよく、包装後は巻き付け部３３の端部を固定用シールにより包装用シート３０と接着し、包装用シート３０が寿司１４を包装した状態で固定するようにすればよい。
【００５５】
（５）上記したもののほか、上述の実施形態で示した各構成の形状や寸法は、これに限定されるものではなく、適宜変更して実施することができる。例えば、シート開封部７は外フィルム４の幅方向ではなく長手方向に設けられていてもよいし、第１内フィルム５ａと第２内フィルム５ｂとの長手方向の長さが同じ長さであったり、第２内フィルム５ｂの方が長くともよい。
【産業上の利用可能性】
【００５６】
本発明に係る包装用シートは、寿司やおにぎり等の飯などの種々の内容物を包装するために用いることができる。
【符号の説明】
【００５７】
１，３０        包装用シート
３              米飯収容シート（折り返しシート）
３ａ            内側半面（設置部）
３ｂ            外側半面（蓋用シート）
１１            熱融着部分（結合部）
１２            折り返し辺部（結合部，折り返し辺）
１３            ポケット部
１３ａ          開部（結合部）
１３ｂ          閉部（頂部側辺部）
１４            寿司（内容物）
１７            残余部分（巻き付け部）
２０            米飯収容シート（蓋用シート）
２１ａ          第１辺部（結合部）
２１ｂ          第２辺部（結合部）
２１ｃ          第３辺部（頂部側辺部）
２３            シート片
３１            設置部
３１ａ          第１辺部（結合部）
３１ｂ          第２辺部（結合部）
３２            折り返し辺（蓋用シート）
３３            巻き付け部
３４            ポケット部
【要約】
【課題】埃や虫などの混入や飯の乾燥を容易に且つ確実に防ぐため、包装用シート内の密閉度を高める。
【解決手段】略円錐状に巻いて内容物１４を包装するための包装用シート１であって、包装時に内容物１４を設置する設置部と、包装用シート１を略円錐状に巻いて内容物１４を包装したときに略円錐状の包装用シート１の底辺となる設置部の第１辺部及び第２辺部で設置部と結合した蓋用シート３ｂとを備え、蓋用シート３ｂと設置部とで包装時に内容物１４を収容して包装後に内容物１４を蓋するポケット部１３を形成する。
【選択図】  図３【図１】
0005797320.tif 000002
【図２】
0005797320.tif 000003
【図３】
0005797320.tif 000004
【図４】
0005797320.tif 000005
【図５】
0005797320.tif 000006
【図６】
0005797320.tif 000007
【図７】
0005797320.tif 000008